【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
式Ｉ
【化１】
2015513573.tif 000001
（式中、
Ａは、次式、
【化２】
2015513573.tif 000002
（Ｈｅｔは、それぞれ同一であるか又は異なり、その環に少なくとも１個のヘテロ原子を含む任意選択により置換された単環式部分を示す）
から選択される１〜６個のヘテロ原子を含む任意選択により置換されたベンゾ縮合ヘテロアリール部分を示し、
Ｒ１及びＲ２は、互いに独立してＨ又はハロゲンを示し、
Ｒ３〜Ｒ６は、互いに独立して、それぞれ同一であるか又は異なり、Ｈ、ハロゲン、炭素原子数１〜３０の直鎖、分岐鎖もしくは環状のアルキルであって、Ｏ原子及び／又はＳ原子が互いに直接結合しないように、１個又は複数個の非隣接ＣＨ２基が−Ｏ−、−Ｓ−、−Ｃ（Ｏ）−、−Ｃ（Ｓ）−、−Ｃ（Ｏ）−Ｏ−、−Ｏ−Ｃ（Ｏ）−、−ＮＲ０−、−ＳｉＲ０Ｒ００−、−ＣＦ２−、−ＣＨＲ０＝ＣＲ００−、−ＣＹ１＝ＣＹ２−もしくは−Ｃ≡Ｃ−で任意選択により置き換えられており、１個又は複数個のＨ原子がＦ、Ｃｌ、Ｂｒ、ＩもしくはＣＮで任意選択により置き換えられているアルキルを示すか、又は任意選択により置換されている、環員数４〜２０のアリール、ヘテロアリール、アリールオキシもしくはヘテロアリールオキシを示し、
Ｙ１及びＹ２は、互いに独立してＨ、Ｆ、Ｃｌ又はＣＮであり、
Ｒ０及びＲ００は、互いに独立してＨ又は任意選択により置換されたＣ１〜４０カルビルもしくはヒドロカルビルである）
の単位を１種又は複数種含むポリマー。
【請求項２】
前記式Ｉの単位が、次の部分式：
【化３】
2015513573.tif 000003
（式中、Ｒ６は請求項１に記載の通りであり、Ｒ７は前記Ｒ６の意味の１つを有する）
から選択されることを特徴とする、請求項１に記載のポリマー。
【請求項３】
前記式Ｉの単位が、前記部分式Ｂ１ａ、Ｂ２ｂ及びＢ３ａから選択されることを特徴とす
る、請求項２に記載のポリマー。
【請求項４】
前記式Ｉの単位が次式：
【化４】
2015513573.tif 000004
2015513573.tif 000005
2015513573.tif 000006
（式中、Ｒ３、Ｒ５及びＲ６は請求項１に記載の通りである）
から選択されることを特徴とする、請求項１〜３のいずれか一項に記載のポリマー。
【請求項５】
式ＩＩ：
【化５】
2015513573.tif 000007
（式中、
Ａは、請求項１〜４のいずれか一項に記載の式Ｉ又はその部分式Ｉａ〜Ｉｎの単位であり、
Ｂは、Ａとは異なり、請求項１〜４のいずれか一項に記載の式Ｉ又はその部分式Ｉａ〜Ｉｎから選択される、又は任意選択により置換されているアリール基及びヘテロアリール基から選択される単位であり、
ｘは、＞０且つ≦１であり、
ｙは、≧０且つ＜１であり、
ｘ＋ｙは、１であり、
ｎは、＞１の整数である）
から選択されることを特徴とする、請求項１〜４のいずれか一項に記載のポリマー。
【請求項６】
次の部分式：
【化６】
2015513573.tif 000008
2015513573.tif 000009
2015513573.tif 000010
2015513573.tif 000011
（式中、Ｒ３、Ｒ５及びＲ６は、請求項１に記載の通りであり、ｎは、請求項５に記載の通りであり、０＜ｘ＜１且つ０＜ｙ＜１である）から選択されることを特徴とする、請求項１〜５のいずれか一項に記載のポリマー。
【請求項７】
式ＩＩＩ
Ｒ８−鎖−Ｒ９    ＩＩＩ
（式中、「鎖」は、請求項５又は６に記載の式ＩＩ又は式ＩＩａ〜式ＩＩｒのポリマー鎖を示し、Ｒ８及びＲ９は、互いに独立して、請求項１に記載のＲ６の意味の１つを有するか、又は、互いに独立してＨ、Ｆ、Ｂｒ、Ｃｌ、Ｉ、−ＣＨ２Ｃｌ、−ＣＨＯ、−ＣＲａ＝ＣＲｂ２、−ＳｉＲａＲｂＲｃ、−ＳｉＲａＸａＸｂ、−ＳｉＲａＲｂＸａ、−ＳｎＲａＲｂＲｃ、−ＢＲａＲｂ、−Ｂ（ＯＲａ）（ＯＲｂ）、−Ｂ（ＯＨ）２、−Ｏ−ＳＯ２−Ｒａ、−Ｃ≡ＣＨ、−Ｃ≡Ｃ−ＳｉＲａ３、−ＺｎＸａ又はエンドキャップ基を示し、Ｘａ及びＸｂはハロゲンを示し、Ｒａ、Ｒｂ及びＲ０は互いに独立して請求項１に記載のＲ０の意味の１つを有し、Ｒａ、Ｒｂ及びＲｃの２つはまた、それらが結合しているヘテロ原子と一緒に環を形成してもよい）
から選択されることを特徴とする、請求項１〜６のいずれか一項に記載のポリマー。
【請求項８】
請求項１〜７のいずれか一項に記載の１種又は複数種のポリマーと、半導体特性、電荷輸送性、正孔／電子輸送性、正孔／電子阻止性、導電性、光導電性又は発光性を有する１種又は複数種の化合物又はポリマーとを含む混合物又はポリマーブレンド。
【請求項９】
請求項１〜７のいずれか一項に記載の１種又は複数種のポリマーと、１種又は複数種のｎ型有機半導体化合物とを含むことを特徴とする、請求項８に記載の混合物又はポリマーブレンド。
【請求項１０】
前記ｎ型有機半導体化合物がフラーレン又は置換フラーレンであることを特徴とする、請求項９に記載の混合物又はポリマーブレンド。
【請求項１１】
請求項１〜１０のいずれか一項に記載の１種又は複数種のポリマー、混合物又はポリマーブレンドと、１種又は複数種の溶媒から選択される溶媒とを含む配合物。
【請求項１２】
光学デバイス、電子光学デバイス、電子デバイス、エレクトロルミネッセンスデバイスもしくは光ルミネッセンスデバイスにおける、又はこのようなデバイスの構成要素における、又はこのようなデバイスもしくは構成要素を備える組立体における、電荷輸送材料、半導体材料、導電性材料、光導電性材料又は発光材料としての請求項１〜１２のいずれか一項に記載のポリマー、混合物、ポリマーブレンド又は配合物の使用。
【請求項１３】
請求項１〜１１のいずれか一項に記載のポリマー、配合物、混合物又はポリマーブレンドを含む、電荷輸送材料、半導体材料、導電性材料、光導電性材料又は発光材料。
【請求項１４】
電荷輸送材料、半導体材料、導電性材料、光導電性材料もしくは発光材料を含む、又は請求項１〜１３のいずれか一項に記載のポリマー、混合物、ポリマーブレンドもしくは配合物を含む、光学デバイス、電子光学デバイス、電子デバイス、エレクトロルミネッセンスデバイスもしくは光ルミネッセンスデバイス、又はその構成要素、又はそれを備える組立体。
【請求項１５】
前記デバイスが有機電界効果トランジスタ（ＯＦＥＴ）、薄膜トランジスタ（ＴＦＴ）、有機発光ダイオード（ＯＬＥＤ）、有機発光トランジスタ（ＯＬＥＴ）、有機光起電力デバイス（ＯＰＶ）、有機光検出器（ＯＰＤ）、有機太陽電池、レーザーダイオード、ショットキーダイオード、及び光導電体から選択され、前記構成要素が電荷注入層、電荷輸送層、中間層、平坦化層、帯電防止膜、高分子電解質膜（ＰＥＭ）、導電性基板、導電性パターンから選択され、前記組立体が集積回路（ＩＣ）、無線認識（ＲＦＩＤ）タグ又はセキュリティマーキング又はそれらを含むセキュリティデバイス、フラットパネルディスプレイ又はそのバックライト、電子写真デバイス、電子写真記録デバイス、有機メモリデバ
イス、センサデバイス、バイオセンサ及びバイオチップから選択される、請求項１４に記載のデバイス、その構成要素、又はそれを備える組立体。
【請求項１６】
ＯＦＥＴ、バルクヘテロ接続（ＢＨＪ）ＯＰＶデバイス又は逆型ＢＨＪ  ＯＰＶデバイスである、請求項１５に記載のデバイス。
【請求項１７】
式ＩＶ
【化７】
2015513573.tif 000012
（式中、Ｒ１、Ｒ２及びＲ５は、互いに独立して、請求項１に記載の意味の１つを有し、Ｒ１０及びＲ１１は、Ｈ、Ｃｌ、Ｂｒ、Ｉ、Ｏ−トシレート、Ｏ−トリフレート、Ｏ−メシレート、Ｏ−ノナフレート、−ＳｉＭｅ２Ｆ、−ＳｉＭｅＦ２、−Ｏ−ＳＯ２Ｚ１、−Ｂ（ＯＺ２）２、−ＣＺ３＝Ｃ（Ｚ３）２、−Ｃ≡ＣＨ、−Ｃ≡ＣＳｉ（Ｚ１）３、−ＺｎＸ０及びＳｎ（Ｚ４）３からなる群から選択され、式中、Ｘ０はハロゲンであり、Ｚ１〜４は、それぞれ任意選択により置換されているアルキル及びアリールからなる群から選択され、２つの基Ｚ２はまた、一緒に環状基を形成してもよい）
のモノマー。
【請求項１８】
請求項１７に記載の１種又は複数種のモノマー（式中、Ｒ１０及びＲ１１は、Ｈ、Ｃｌ、Ｂｒ、Ｉ、−Ｂ（ＯＺ２）２及び−Ｓｎ（Ｚ４）３から選択される）を、式Ｖ
【化８】
2015513573.tif 000013
（式中、Ｒ３、Ｒ４及びＡは、互いに独立して、請求項１〜３に記載の意味の１つを有し、Ｒ１０及びＲ１１は１７に記載の意味の１つを有する）
の１種又は複数種のモノマーと、アリール−アリールカップリング反応で結合させることによる請求項１〜７のいずれか一項に記載のポリマーの製造方法。